(57)【要約】【課題】一年を通して順序が変動せずに、常に数ヶ月（月捲りでは２ヶ月）を一覧できるとともに、暦葉の大きさに対して暦の表示面積を比較的大きく確保することができるカレンダーを提供する。【解決手段】上記課題を解決するために、所定枚数の暦葉からなる冊子状のカレンダー１であって、暦葉２には、綴じ側である基端21から自由端22までの中央よりも前記基端21側に、前記基端21と概ね平行な山折り線23が設けてあるとともに、前記山折り線23から前記自由端22までの間に暦24が設けられていることで、連続する任意の二枚の暦葉のうち、先の暦葉２を捲ってこれに続く後の暦葉３を表示させるとともに、先の暦葉２を山折り線23で畳むように山折りすることで、先の暦葉２に設けられた暦24を、後の暦葉３に設けられた暦34の近傍に位置させて、連続する二枚の暦葉それぞれに設けられた暦を一覧表示することができる、カレンダーとした。【選択図】図３
2017149036.tif 000002
【特許請求の範囲】
【請求項１】
所定枚数の暦葉からなる冊子状のカレンダーであって、
暦葉には、綴じ側である基端から自由端までの中央よりも前記基端側に、前記基端と概ね平行な山折り線が設けてあるとともに、前記山折り線から前記自由端までの間に暦が設けられていることで、
連続する任意の二枚の暦葉のうち、先の暦葉を捲ってこれに続く後の暦葉を表示させるとともに、先の暦葉を山折り線で畳むように山折りすることで、先の暦葉に設けられた暦を、後の暦葉に設けられた暦の近傍に位置させて、連続する二枚の暦葉それぞれに設けられた暦を一覧表示することができる、
カレンダー。
【請求項２】
基端から自由端までの長さに対する、基端から山折り線までの長さの割合が、２５〜４０％である、
請求項１記載のカレンダー。
【請求項３】
暦葉が、山折り線を挟んで対称な位置に吊り下げ孔を有する、
請求項１又は２記載のカレンダー。
【請求項４】
連続する二枚の暦葉それぞれに設けられた暦を一覧表示させた際に、先の暦葉の自由端を、これに続く後の暦葉に係止するための係止手段を設けた、
請求項１〜３いずれか記載のカレンダー。
【請求項５】
係止手段が、
基端側に向けて突出するように後の暦葉に形成した切り込み片である、
請求項４記載のカレンダー。
【発明の詳細な説明】
【技術分野】
【０００１】
本発明は、カレンダーに関する。詳しくは、所定枚数の暦葉からなる冊子状のカレンダーに関する。
【背景技術】
【０００２】
現在、種々のカレンダーが市販されている。なかでも所定枚数の暦葉からなる冊子状のカレンダーは幅広く用いられている。例えば、１２枚の暦葉に１月から１２月までの各月を割り振って表示した冊子状カレンダー（いわゆる月捲り）は最も一般的なものである。なかには６枚の暦葉を用いて各暦葉に２ヶ月分の暦を割り振って表示したり、所定枚数の暦葉を用いて各暦葉に１週間分の暦を割り振って表示したりしたもの（いわゆる週捲り）もある。
【０００３】
また、カレンダーは単に日付と曜日を確認するだけでなく予定表として使われることも多い。日付欄などに予定が書き込まれる場合もある。そのため、中長期の予定を組み、スケジュール管理していくには、常に先々の日付が一覧できることが好ましい。このような課題を解決するためのカレンダーが下記特許文献１に記載されている。
【０００４】
特許文献１には「紙面の下半分を暦に使用し、複数枚の暦を上部で綴じてなるカレンダーに、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしたことを特徴とする折り込み式連続カレンダー。」が記載されており、このカレンダーによって、「紙面の下半分を暦に使用し、複数枚の暦を上部で綴じてなるカレンダーにおいて、その綴じしろ下端からカレンダー下端までのほぼ中央に綴じしろと平行な折り線を設けるとともに、綴じしろの下に切り離し用ミシン目を設け、切り離した後にカレンダーの折り返し部分を挟み込む機能を持った庇状紙片が残る構造にしているので、一年を通して順序が変動せずに、常に数ヶ月を一覧できるので、予定表としても優れた機能を発揮するものである。」とある。
【先行技術文献】
【特許文献】
【０００５】
【特許文献１】特開２００５−１５３３６７
【発明の概要】
【発明が解決しようとする課題】
【０００６】
上記特許文献１のカレンダーは、一年を通して順序が変動せずに、常に数ヶ月（月捲りでは２ヶ月）を一覧できるものである。しかしながら、その構造から暦に使用するのは紙面の下半分程度未満となるため、暦葉の大きさに対して暦の表示面積が小さくなりがちであった。
【０００７】
本発明は、上記課題を解決するためのものであり、一年を通して順序が変動せずに、常に数ヶ月（月捲りでは２ヶ月）を一覧できるとともに、暦葉の大きさに対して暦の表示面積を比較的大きく確保することができるカレンダーを提供することを目的とする。
【課題を解決するための手段】
【０００８】
上記課題を解決するために、所定枚数の暦葉からなる冊子状のカレンダーであって、暦葉には、綴じ側である基端から自由端までの中央よりも前記基端側に、前記基端と概ね平行な山折り線が設けてあるとともに、前記山折り線から前記自由端までの間に暦が設けられていることで、連続する任意の二枚の暦葉のうち、先の暦葉を捲ってこれに続く後の暦葉を表示させるとともに、先の暦葉を山折り線で畳むように山折りすることで、先の暦葉に設けられた暦を、後の暦葉に設けられた暦の近傍に位置させて、連続する二枚の暦葉それぞれに設けられた暦を一覧表示することができる、カレンダーとした。
【０００９】
このカレンダーは、一年を通して順序が変動せずに、数ヶ月（月捲りでは連続する２ヶ月）を一覧できる。また、山折り線が、基端から自由端までの中央よりも前記基端側に設けてあるため、暦の表示面積を比較的大きくとることができる。
【００１０】
このとき、基端から自由端までの長さに対する、基端から山折り線までの長さの割合が、２５〜４０％である、カレンダーとすることができる。
【００１１】
このカレンダーは、基端から自由端までの長さに対する、基端から山折り線までの長さの割合が、２５％以上であるため、連続する二枚の暦葉それぞれに設けられた暦を一覧表示しやすくなる（暦が重なりにくくなる）。また、基端から山折り線までの長さの割合が、４０％以下であるため、連続する二枚の暦葉それぞれに設けられた暦を一覧表示した際に、それぞれの暦の間隔が小さくなる。
基端から自由端までの長さに対する、基端から山折り線までの長さの割合は、より好ましくは、２５〜３５％である。
【００１２】
暦葉が、山折り線を挟んで対称な位置に吊り下げ孔を有するカレンダーとすることができる。
【００１３】
このカレンダーは、上記構成の吊り下げ孔が設けてあることで、連続する二枚の暦葉それぞれに設けられた暦を一覧表示させた際に、先の暦葉において、山折り線を挟んで対称に設けた吊り下げ孔が重なる。したがって、連続する二枚の暦葉それぞれに設けられた暦を一覧表示した状態で、カレンダーをフック等に取り付けやすい。
【００１４】
連続する二枚の暦葉それぞれに設けられた暦を一覧表示させた際に、先の暦葉の自由端を、これに続く後の暦葉に係止するための係止手段を設けた、カレンダーとすることもできる。
【００１５】
このとき、係止手段が、基端側に向けて突出するように後の暦葉に形成した切り込み片である、カレンダーとすることが好ましい。
【発明の効果】
【００１６】
本発明により、一年を通して順序が変動せずに、常に数ヶ月（月捲りでは２ヶ月）を一覧できるとともに、暦葉の大きさに対して暦の表示面積を比較的大きく確保することができるカレンダーを提供することができる。
【図面の簡単な説明】
【００１７】
【図１】第一実施形態のカレンダーの平面図である。
【図２】図１のカレンダーにおいて先の暦葉を捲ってこれに続く後の暦葉を表示した状態を示す平面図である。
【図３】図２の状態から、先の暦葉を山折り線で山折りする様子を示す斜視図である。
【図４】図３の状態から、連続する二枚の暦葉それぞれに設けられた暦を一覧表示した状態を示す平面図である。
【図５】第二実施形態のカレンダーの平面図である。
【図６】図５のカレンダーにおいて先の暦葉を捲ってこれに続く後の暦葉を表示した状態を示す平面図である。
【図７】図５のカレンダーにおいて、連続する二枚の暦葉それぞれに設けられた暦を一覧表示した状態を示す平面図である。
【図８】第三実施形態のカレンダーの平面図である。
【図９】第四実施形態のカレンダーの平面図である。
【図１０】図９のカレンダーにおいて先の暦葉を捲ってこれに続く後の暦葉を表示した状態を示す平面図である。
【図１１】図９のカレンダーにおいて、連続する二枚の暦葉それぞれに設けられた暦を一覧表示した状態を示す平面図である。
【発明を実施するための形態】
【００１８】
以下、図を用いてカレンダーを例示説明する。本発明およびその構成要素は、以下の説明に限定されるものではない。
【００１９】
１．カレンダー
カレンダー１は、所定枚数の暦葉からなる冊子状である。本実施形態では、１２枚の暦葉に１月から１２月までの各月を割り振って表示した冊子状のカレンダー（いわゆる月捲り）としてある。即ち、図１などの第一実施形態では、１月の暦が設けられた暦葉（図１では先の暦葉２）の下に、２月〜１２月の暦がそれぞれ設けられた１１枚の暦葉が連続した構成となっている。本実施形態においては、各暦葉の基端(21)側が綴じ具４で綴じられて冊子状のカレンダー１となっている。
【００２０】
そして、暦葉には山折り線が設けてある。山折り線23は、連続する任意の二枚の暦葉（先の暦葉２と後の暦葉３）のうち先の暦葉２に必要となるが、ここでいう先の暦葉２に対する後の暦葉３もこれに続く暦葉との関係では先の暦葉となりうるため、少なくとも先の暦葉となる可能性がある暦葉には山折り線を設ける。本実施形態では、山折り線をミシン目としてあるがこれに限定されず、ノッチ、ハーフスリット、切り欠き状、罫線等の易折り曲げ線などであってもよい。
【００２１】
山折り線23は、図１などに示すように、綴じ側である基端21から自由端22までの中央よりも基端21側に設けてある。山折り線23の位置については、基端21から自由端22までの長さLに対して基端21から山折り線23までの長さL1の割合が、２５〜４０％となるような位置とすることが好ましい。本実施形態では、基端21から自由端22までの長さに対する、基端21から山折り線23までの長さの割合(L1/L×100)が、概ね２９％となっている。
【００２２】
この山折り線23から自由端22までの間に暦24が設けられている。本実施形態では、大まかな予定を記入することができるように各日付の部分に空欄が設けてある。
【００２３】
２．暦を一覧表示させる方法
上記カレンダー１を用いて、連続する二枚の暦葉それぞれに設けられた暦を一覧表示する手法を以下に例示説明する。
【００２４】
まず、図１の状態から、先の暦葉２を捲る。すると、図２に示すように、先の暦葉２が基端21を軸に表裏反転し、これに続く後の暦葉３が現れる。この状態から、図３に示すように、先の暦葉２を山折り線23で山折りする（図２では先の暦葉が裏返った状態であるため、本図を基準にすると谷折りになる）。先の暦葉２を畳むように山折り線23で山折りすると、先の暦葉２に設けられた暦24が後の暦葉３に設けられた暦34の近傍に位置し、図４に示すように、連続する二枚の暦葉（先の暦葉２と後の暦葉３）それぞれに設けられた暦24,34を一覧表示（上下に一覧表示）することができる。
【００２５】
本実施形態では、図２〜図４に示すように、先の暦葉２の自由端22を後の暦葉３に係止するための係止手段(61)を、後の暦葉３に設けてある。具体的には、基端側に向けて突出するように後の暦葉３に形成した切り込み片61に、先の暦葉２の自由端22を差し込んで係止してある。本実施形態では、切り込み片61を三カ所（左右および中央）に設けてある。
【００２６】
また、本実施形態では、先の暦葉２が、山折り線23を挟んで上下対称な位置（線対称な位置）に吊り下げ孔25を有しており、連続する二枚の暦葉２，３それぞれに設けられた暦24,34を一覧表示させた際に、先の暦葉２において、山折り線23を挟んで上下対称に設けた吊り下げ孔25が重なる。したがって、連続する二枚の暦葉２，３それぞれに設けられた暦24,34を一覧表示した状態のカレンダー１を、重なった吊り下げ孔25を用いて、フック等に取り付けることができる。
【００２７】
３．第二実施形態のカレンダー
第二実施形態のカレンダーを図５〜図７に示す。本実施形態のカレンダーも１２枚の暦葉に１月から１２月までの各月を割り振って表示した冊子状のカレンダーである。しかし、第一実施形態とは異なり、いわゆる横開きタイプのカレンダーとなっている。
【００２８】
また、本実施形態では、基端21から自由端22までの長さに対する、基端21から山折り線23までの長さの割合(L1/L×100)が、概ね３３％となっている。
【００２９】
そして、本実施形態においても、前述した第一実施形態と同様の手法で、連続する二枚の暦葉それぞれに設けられた暦を一覧表示することができる。具体的には、まず、図５の状態から、先の暦葉２を捲る。すると、図６に示すように、先の暦葉２が基端21を軸に表裏反転し、これに続く後の暦葉３が現れる。この状態から、先の暦葉２を山折り線23で畳むように山折りすると、先の暦葉２に設けられた暦24が後の暦葉３に設けられた暦34の近傍に位置し、図７に示すように、連続する二枚の暦葉（先の暦葉２と後の暦葉３）それぞれに設けられた暦24,34を一覧表示（左右に一覧表示）することができる。
【００３０】
本実施形態でも、先の暦葉２の自由端22を後の暦葉３に係止するための係止手段を、後の暦葉３に設けてある。具体的には、基端側に向けて突出するように後の暦葉３の中央部に１箇所だけ形成した切り込み片61に、先の暦葉２の自由端22を差し込んで係止してある。
【００３１】
４．第三実施形態のカレンダー
第三実施形態のカレンダーを図８に示す。本実施形態のカレンダーは前述した第一実施形態のカレンダーと基本的に同じ構造であるが、綴じ具（４）を用いて各暦葉を綴じているのではなく、各暦葉の上片に隣り合って設けられた綴じしろ５によって各暦葉が綴じてある。この場合、綴じしろ５の下縁部分が暦葉（２）の基端(21)となる。基端は、暦葉を捲る際の軸線部分を指す。
【００３２】
本実施形態では、綴じ具を用いていないため、連続する二枚の暦葉それぞれに設けられた暦を一覧表示した際に、綴じ具が邪魔になることがない。
【００３３】
また、本実施形態では、基端(21)をミシン目などの切り離し容易化線としてもよい。例えば、２月の暦と３月の暦を一覧表示させる場合には、１月の暦が表示された暦葉を、ミシン目に沿って基端21から取り外しておくことができる。
【００３４】
５．第四実施形態のカレンダー
第四実施形態のカレンダーを図９〜図11に示す。本実施形態のカレンダーも前述した第一実施形態のカレンダーと基本的に同じ構造であるが、先の暦葉２の自由端22を後の暦葉３に係止するための係止手段の構造が異なる。
【００３５】
具体的には、本実施形態では、先の暦葉２の自由端22の左右に挿入片63を設けるとともに、この挿入片63が挿入されるスリット62を後の暦葉の左右に設けて係止手段を構成してある。
【００３６】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【００３７】
例えば、上記各実施形態において、１月の暦葉は先の暦葉となり後の暦葉とならないため切り込み片61やスリット62を設けていないが、これらを設けてもよい。製造時における金型の管理や、製造工程の単純化などを考慮すると、１月の暦葉にもこれらを設けることが好ましい場合もある。なお、カレンダーの最終月が表示された暦葉など、後の暦葉となるものの先の暦葉とならない場合は、山折り線や吊り下げ孔を設けなくてもよいと考えられるが、金型の管理や、製造工程の単純化などを考慮すると、これらを設けることが好ましい場合もある。
【符号の説明】
【００３８】
１  カレンダー
２  先の暦葉
21  基端
22  自由端
23  山折り線
24  暦
25  吊り下げ孔
３  後の暦葉
31  基端
32  自由端
33  山折り線
34  暦
35  吊り下げ孔
４  綴じ具
５  綴じしろ
６  係止手段
61  切り込み片
62  スリット
63  挿入片
L   基端から自由端までの長さ
L1  基端から山折り線までの長さ
【図１】
2017149036.tif 000003
【図２】
2017149036.tif 000004
【図３】
2017149036.tif 000005
【図４】
2017149036.tif 000006
【図５】
2017149036.tif 000007
【図６】
2017149036.tif 000008
【図７】
2017149036.tif 000009
【図８】
2017149036.tif 000010
【図９】
2017149036.tif 000011
【図１０】
2017149036.tif 000012
【図１１】
2017149036.tif 000013